(57)【要約】      （修正有）【課題】一人で移動させるには比較的重い単管バリケードを、重機で移動させる場合に、熟練の重機操縦者でなくても重機で容易に吊り上げることができるバリケード吊り上げ装置を提供する。【解決手段】一対の支持スタンド部と、これら支持スタンド部間に上下に間隔をおいて平行に渡される２本の単管パイプとを備えた単管バリケードに取付けられる吊り上げ装置１０であって、単管パイプの各々に直交して配置される長尺本体部１２と、長尺本体部１２の下方に配された単管パイプの少なくとも一方に固定される単管パイプ取付け部１６と、長尺本体部１２の上部位置から斜め下方に突設されたフック部１４とを備えた。【選択図】図２
0003218938.tif 000002
【実用新案登録請求の範囲】
【請求項１】
一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備えたことを特徴とするバリケード吊り上げ装置。
【請求項２】
一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記単管パイプ取付け部が、前記２本の単管パイプの各々に固定するものであることを特徴とするバリケード吊り上げ装置。
【請求項３】
一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記フック部が、前記２本の単管パイプで形成される平面に対して表裏の２方向へ各々に突設して形成されていることを特徴とするバリケード吊り上げ装置。
【請求項４】
一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記バリケード吊り上げ装置として、互いに間隔を開けて前記単管バリケードの重心の両側に取付けられる一対の前記フック部を有することを特徴とするバリケード吊り上げ装置。
【請求項５】
一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記フック部が、前記２本の単管パイプで形成される平面に対して表裏の２方向へ各々に突設して形成されており、
前記単管パイプ取付け部が、前記２本の単管パイプの各々に固定するものであり、
前記バリケード吊り上げ装置として、互いに間隔を開けて前記単管バリケードの重心の両側に取付けられる一対の前記フック部を有することを特徴とするバリケード吊り上げ装置。
【考案の詳細な説明】
【技術分野】
【０００１】
本考案は、例えば、ヒトの出入りを制限する単管バリケードの移動を、ホイールローダ等の重機で行うためのバリケード吊り上げ装置に関するものである。
【背景技術】
【０００２】
工事現場等で作業を行う際に、安全性を確保するために、ヒトの出入りを制限する。このために工事現場バリケードの１つとして「単管バリケード」が多く用いられている（例えば、特許文献１参照）。この単管バリケードとは、建設工事で足場材としても使われる２本の単管パイプの両端部を支持する一対の支持スタンド部を用いて、工事現場内にヒトや車等が入れないように塞ぐものである。
【０００３】
この単管バリケードで用いる単管パイプの径はＪＩＳ規格で４８．６ｍｍと決まっているが、長さは自由であり、現場に応じて長さを調整することができる。一対の支持スタンド部は上下２本の単管パイプの端部を各々固定することで、自立するバリケードを構成するようになっている。
【０００４】
また、単管バリケードの支持スタンド部としては、初期型の金属製のＡ字状のものから、現在では、単管パイプを支える支柱部分に動物やキャラクター等をかたどったものなど、さまざまな単管バリケードの発展系がある。
【先行技術文献】
【特許文献】
【０００５】
【特許文献１】特開２０００−５４３３０号公報
【考案の概要】
【考案が解決しようとする課題】
【０００６】
このような単管バリケードでは、単管の長さを４ｍ程度とすると、単管バリケード全体の重さは２５ｋｇ程度となり、一人で持ち上げて移動するには身体を酷使する重さであり、尚且つ、４ｍの幅であるため、一人で持ち上げて移動するにはバランスを崩し易い大きさである。更に、一対の支持スタンド部間に渡された上下２本の単管は上方の単管パイプを持ち上げた際には、下方の単管パイプが作業者の臑等に当たって歩幅を制限する等の問題を生じさせていた。
【０００７】
また、単管バリケードが配されている工事現場では、種々の重機が配置されており、これら重機で移動させることもあった。しかしながら、例えばホイールローダの前面のバケットで持ち上げようとする場合には、単管バリケードと正対した際に前面のバケットの影に単管バリケードが隠れてしまい、熟練の重機操縦者でなければ容易に吊り上げることができない課題もあった。
【０００８】
即ち、単管バリケードの高さは８０ｃｍ程度であり、最上部に取付けられた単管パイプの管径を合わせたとしても８５ｃｍを超えることはない。そのため、ホイールローダのような前面のアームにバケットが装着された重機では、１４０ｃｍを下回る高さ位置のものはバケット越しに見ることができない。
【０００９】
従って、バケットの上端縁を単管バリケードの単管パイプに引っ掛けて吊り上げようとする場合に、バリケード全体がバケットの死角に入り、目視で確認することができない。そのため、バリケードを吊り上げるには、熟練の操縦者の勘と経験に頼るという原始的なプロセスでしか吊り上げることができない。
【００１０】
本考案は、一人で移動させるには比較的重い単管バリケードを、重機で移動させる場合に、熟練の重機操縦者でなくても重機で容易に吊り上げることができるバリケード吊り上げ装置を得ることを目的とする。
【課題を解決するための手段】
【００１１】
請求項１に記載された考案に係るバリケード吊り上げ装置は、一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備えたことを特徴とするものである。
【００１２】
請求項２に記載された考案に係るバリケード吊り上げ装置は、一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記単管パイプ取付け部が、前記２本の単管パイプの各々に固定するものであることを特徴とするものである。
【００１３】
請求項３に記載された考案に係るバリケード吊り上げ装置は、一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記フック部が、前記２本の単管パイプで形成される平面に対して表裏の２方向へ各々に突設して形成されていることを特徴とするものである。
【００１４】
請求項４に記載された考案に係るバリケード吊り上げ装置は、一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記バリケード吊り上げ装置として、互いに間隔を開けて前記単管バリケードの重心の両側に取付けられる一対の前記フック部を有することを特徴とするものである。
【００１５】
請求項５に記載された考案に係るバリケード吊り上げ装置は、一対の支持スタンド部と、これら支持スタンド部間に上下に間隔をおいて平行に渡される２本の単管パイプとを備えた単管バリケードに取付けられる吊り上げ装置であって、
前記単管パイプの各々に直交して配置される長尺本体部と、
前記長尺本体部の下方に配された前記単管パイプの少なくとも一方に固定される単管パイプ取付け部と、
前記長尺本体部の上部位置から斜め下方に突設されたフック部とを備え、
前記フック部が、前記２本の単管パイプで形成される平面に対して表裏の２方向へ各々に突設して形成されており、
前記単管パイプ取付け部が、前記２本の単管パイプの各々に固定するものであり、
前記バリケード吊り上げ装置として、互いに間隔を開けて前記単管バリケードの重心の両側に取付けられる一対の前記フック部を有することを特徴とするものである。
【考案の効果】
【００１６】
本考案は、一人で移動させるには比較的重い単管バリケードを、重機で移動させる場合に、熟練の重機操縦者でなくても重機で容易に吊り上げることができるという効果がある。
【図面の簡単な説明】
【００１７】
【図１】本考案のバリケード吊り上げ装置を取付けた単管バリケードの一実施例の構成を示す正面図である。
【図２】図１の要部の構成を説明する説明図であり、ａ図はＡ−Ａ断面図、ｂ図はａ図の先端部の拡大図、ｃ図はａ図の後端部の拡大図、ｄ図はｂ図の正面図、ｅ図はｃ図の正面図である。
【図３】本考案のバリケード吊り上げ装置を取付けた単管バリケードの別の実施例の構成を示す正面図である。
【考案を実施するための形態】
【００１８】
本考案においては、一対の支持スタンド部と、これら支持スタンド部間に上下に間隔をおいて平行に渡される２本の単管パイプとを備えた単管バリケードに取付けられる吊り上げ装置であって、単管パイプの各々に直交して配置される長尺本体部と、長尺本体部の下方に配された単管パイプの少なくとも一方に固定される単管パイプ取付け部と、長尺本体部の上部位置から斜め下方に突設されたフック部とを備える。これにより、一人で移動させるには比較的重い単管バリケードを、重機で移動させる場合に、熟練の重機操縦者でなくても重機で容易に吊り上げることができるという効果を奏する。
【００１９】
本考案のバリケード吊り上げ装置としては、長尺本体部の上部に設けられたフック部に重機の駆動部を引っ掛けて持ち上げることにより、バリケードを吊り上げることができる。重機としては、例えば、パワーショベル、ブルドーザ、フォークリフト等が挙げられるが、特に、ホイールローダのアームの先端に取付けられたバケットの先端にフック部を引っ掛けて、バケットを持ち上げることによりバリケードを吊り上げることができる。
【００２０】
バリケード吊り上げ装置の単管パイプ取付け部としては、単管バリケードを構成する２本の単管パイプの各々に直交して固定されるものであればよい。２本の単管パイプは支持スタンド部間に上下に間隔をおいて平行に渡されているため、単管パイプに取付けられた吊り上げ装置のフック部は単管バリケードの高さ位置よりも高い高さ位置となる。
【００２１】
具体的な単管パイプ取付け部は、単管パイプに対してどのような固定手段を用いてもよい。例えば、単管パイプと長尺本体部の下部とをボルト等で連結等をしてもよく、単管パイプに穿孔すること避けるため、単管パイプの外周の一部を取り巻くＵ字状の金具による固定等を行ってもよい。
【００２２】
フック部の高さ位置については、重機の操縦者がフック部を良好に視認することができる高さ位置に配置される。例えば、ホイールローダにおいては、バケットの先端縁にフック部を引っ掛けるため、バケットの先端縁を若干持ち上げた状態でフック部が視認できる高さ位置としては少なくとも１４０ｃｍ以上の高さ位置、より好ましくは１６０ｃｍ以上であるのがよい。尚、バケット先端縁は構造上操縦者からは目視できない。そのため、バケットの先端縁が長尺本体部に当たった際の揺れの動きや傾きでそれを確認し、バケットの先端縁を上昇させることにより、吊り上げることができる。
【００２３】
また、フック部としては、２本の単管パイプで形成される平面に対して表裏の２方向の各々に突設して形成されていることにより、単管バリケードの表裏の２方向から重機で吊り上げることが可能となる。
【００２４】
本考案のバリケード吊り上げ装置としては、安全性等のために吊り上げた際に単管バリケードが傾かないようにすべきである。そのため、１つのバリケード吊り上げ装置を単管バリケードに取付けるには、単管バリケードの重心位置に重なるように取付ける。また、２つのバリケード吊り上げ装置を単管バリケードに取付けるには、互いに間隔を開けて単管バリケードの重心の両側に取付ける。これにより、一対のバリケード吊り上げ装置で吊り上げた際には、バランスを崩すことがない。
【００２５】
また、１つのバリケード吊り上げ装置を単管バリケードの重心位置に重なるように取付ても、移動の際の遠心力等で吊り上げた単管バリケードが容易に傾く場合がある。そのため、１つのバリケード吊り上げ装置について、長尺本体部の上部をＹ字状に上部を分岐させて、分岐させた各々の同じ高さ位置に２つのフック部を突設させてもよい。即ち、バリケード吊り上げ装置として、互いに間隔を開けて前記単管バリケードの重心の両側に取付けられる一対の前記フック部を有する。これら２つのフック部の間に単管バリケードの重心を配するように取付ければ、バリケード吊り上げ装置で吊り上げた際には、バランスを崩すことがない。
【実施例】
【００２６】
図１は本考案のバリケード吊り上げ装置を取付けた単管バリケードの一実施例の構成を示す正面図である。図２は図１の要部の構成を説明する説明図であり、ａ図はＡ−Ａ断面図、ｂ図はａ図の先端部の拡大図、ｃ図はａ図の後端部の拡大図、ｄ図はｂ図の正面図、ｅ図はｃ図の正面図である。図３は本考案のバリケード吊り上げ装置を取付けた単管バリケードの別の実施例の構成を示す正面図である。
【００２７】
図に示す通り、本実施例のバリケード吊り上げ装置１０は、単管バリケード２０に離した状態で２つ取付けられるものである。２つのバリケード吊り上げ装置１０は、単管バリケード２０の中央から同じ距離を離した位置で固定されているため、間隔を開けた一対が単管バリケード２０の重心である中央位置の両側に取付けられている。
【００２８】
本実施例の単管バリケード２０は、具体的には、一対の支持スタンド部２４と、これら支持スタンド部２４間に上下に間隔をおいて平行に渡される２本の単管パイプ２２とを備える。支持スタンド部２４は接地する２つの接地部２５を下方に備えた略Ａ字状の外形を有し、２つの接地部２５を連結する２つの連結部２６を備える。
【００２９】
この支持スタンド部２４の頂部と、１つの連結部２６の中央部とに単管パイプ２２を保持するパイプ保持具２７を各々備え、このパイプ保持具２７によって２本の単管パイプ２２が一対の支持スタンド部２４に平行に渡されている。
【００３０】
バリケード吊り上げ装置１０は、単管パイプ２２の各々に直交して配置される長尺本体部１２と、この長尺本体部１２の下部に配された単管パイプ２２に固定される単管パイプ取付け部１６と、この長尺本体部１２の上部位置から斜め下方に突設されたフック部１４とを備える。フック部１４は２本の単管パイプ２２で形成される平面に対して表裏の２方向の各々に突設して形成されている。
【００３１】
本実施例のフック部１４については、８４０ｃｍ高さの単管バリケード２０に対して、１８０ｃｍ高さの位置に設置されることとなる。この高さは重機の操縦者がフック部を良好に視認することができる高さ位置である。尚、バケット先端縁は構造上操縦者からは目視できない。そのため、ホイールローダ等の重機の操縦者がバケットの先端縁を若干持ち上げた状態でバケットの先端縁が長尺本体部１２に当たった際の揺れの動きや傾きでそれを確認し、バケットの先端縁を上昇させることにより、熟練の操縦者でなくてもバケットの先端縁にフック部１４を容易に引っ掛けることができる。
【００３２】
また、フック部１４としては、２本の単管パイプ２２で形成される平面に対して表裏の２方向の各々に突設して形成されていることにより、単管バリケード２０の表裏の２方向からホイールローダ等の重機で吊り上げることが可能となる。
【００３３】
尚、本実施例では、２つのバリケード吊り上げ装置１０が、単管バリケード２０の中央部を挟んで同じ距離を離して単管バリケード２０に取付けられている。この２つのバリケード吊り上げ装置１０の幅は、当然のことながら、同時に吊り上げられるため、吊り上げる重機のバケット等の幅よりも狭く取付けられている。尚、油圧シャベルのシャベルで吊り上げるのであれば、重機のシャベルの幅よりも狭い距離で２つのバリケード吊り上げ装置１０を取付ける。
【００３４】
また、２つのバリケード吊り上げ装置１０を単管バリケード２０に取付けるには、間隔を開けた一対のバリケード吊り上げ装置１０が単管バリケード２０の重心の両側に取付ける。これにより、一対のバリケード吊り上げ装置１０で吊り上げた際には、バランスを崩すことがない。
【００３５】
尚、１つのバリケード吊り上げ装置１０を単管バリケード２０に取付けて１つのバリケード吊り上げ装置１０で吊り上げる場合には、好ましくは、単管バリケード２０の重心位置に重なるように取付けることは言うまでもない。また、１つのバリケード吊り上げ装置を単管バリケードの重心位置に重なるように取付ても、移動の際の遠心力等で吊り上げた単管バリケードが容易に傾く場合がある。
【００３６】
そのため、更に、図３に示すように、１つのバリケード吊り上げ装置３０について、長尺本体部の３２上部をＹ字状に上部を分岐させて、分岐させた各々の同じ高さ位置から斜め下方に２つのフック部３４を突設させる。これら２つのフック部３４の間に単管バリケード１０の重心を配するように図１と同様に単管パイプ取り付け部３６で単管パイプ２２に取付ければ、バリケード吊り上げ装置３０で吊り上げた際には、バランスを崩すことがない。
【符号の説明】
【００３７】
１０…バリケード吊り上げ装置、
１２…長尺本体部、
１４…フック部、
１６…単管パイプ取付け部、
１７…Ｕ字状金具、
１８…ナット、
２０…単管バリケード、
２２…単管パイプ、
２４…支持スタンド部、
２５…接地部、
２６…連結部、
２７…パイプ保持具、
３０…バリケード吊り上げ装置、
３２…長尺本体部、
３４…フック部、
３６…単管パイプ取付け部、
【図１】
0003218938.tif 000003
【図２】
0003218938.tif 000004
【図３】
0003218938.tif 000005